【手続補正書】
【提出日】平成31年2月1日(2019.2.1)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
モバイルデバイスにおいて第１のネットワークからページ送信を受信するステップであって、前記ページ送信は、前記モバイルデバイスがページングされているサービスの種類の表示を具備するサービス情報を含み、前記サービスの種類は、前記モバイルデバイスとの間で行われるべき通信の種類に関連する、ステップと、
複数の利用可能なネットワークから、前記モバイルデバイスがページングされているサービスの前記種類に少なくとも部分的に基づいて、ページ送信によって示されるサービスの種類について複数の利用可能なネットワークにアクセスするための優先度を示すポリシーに少なくとも部分的に基づいて前記ページ送信に応答してワイヤレス通信のためにアクセスする第２のネットワークを選択するステップであって、前記第２のネットワークは前記第１のネットワークとは異なる、ステップと、
前記選択に少なくとも部分的に基づいて第２のネットワークにアクセスするステップと
を含む方法。
【請求項２】
前記選択は、前記サービスの種類のサービス品質要件に少なくとも部分的に基づく、請求項1に記載の方法。
【請求項３】
前記サービス情報は、ポリシー中へのインデックスをさらに具備する、請求項1に記載の方法。
【請求項４】
前記複数の利用可能ネットワークは、2つ以上の異なる無線アクセス技術(RAT)を通したワイヤレス通信を提供し、前記ポリシーは、RAT優先度に基づいて、RATにアクセスするための順序を与える、請求項3に記載の方法。
【請求項５】
前記インデックスは、RATにアクセスするための前記順序における位置を示す、請求項4に記載の方法。
【請求項６】
前記ポリシーは、前記ページ送信に基づいて禁止される1つまたは複数のRATを示す、請求項4に記載の方法。
【請求項７】
前記受信されたページ送信に応答してページング応答を前記第２のネットワークを介して送信するステップをさらに含む、請求項1に記載の方法。
【請求項８】
前記第２のネットワークを選択する前記ステップは、ページング応答を送るための無線アクセス技術(RAT)を示すポリシーに少なくとも部分的に基づく、請求項1に記載の方法。
【請求項９】
前記ページング応答は、前記ページ送信を与えた前記第１のネットワークまでトンネリングされる、請求項7に記載の方法。
【請求項１０】
前記ページ送信は、ページング応答を送信するための無線アクセス技術(RAT)のアクセス指示を含み、前記方法は、
前記複数の利用可能ネットワークのうちの1つまたは複数が、異なるRATを提供すると判断するステップと、
ページング応答を送信するためのポリシーに少なくとも部分的に基づいて、前記複数の利用可能ネットワークのうちのどれが前記ページング応答を送信するのに使われるべきであるか判断するステップと
をさらに含む、請求項1に記載の方法。
【請求項１１】
前記アクセス指示は、前記ページ送信に応答して開始されるべき1つまたは複数のサービスを示すサービス識別子を含む、請求項10に記載の方法。
【請求項１２】
前記アクセス指示は、RATの指示または前記ページング応答中で使用するための周波数を含む、請求項10に記載の方法。
【請求項１３】
前記アクセス指示はネットワーク識別子を含む、請求項10に記載の方法。
【請求項１４】
前記ページング応答を送信するための前記ポリシーは、前記サービス情報に基づいて、前記ページング応答に利用可能なRATのリストを含む、請求項10に記載の方法。
【請求項１５】
ワイヤレス通信のための方法であって、
ネットワークがモバイルデバイスにページ送信を送信することになっているサービスの種類を決定するステップであって、前記サービスの種類は、前記モバイルデバイスとの間で行われるべき通信の種類に関連する、ステップと、
前記ネットワークにより、前記ページ送信を送信するための第１の無線アクセス技術（RAT）と、前記ページ送信に応答してモバイルデバイスによりアクセスされるべき第２のRATとを決定するステップであって、前記第２のRATは、前記ネットワークが前記ページ送信を送信することになっているサービスの前記種類に少なくとも部分的に基づいて決定される、ステップと、
前記モバイルデバイスに前記第１のRATを介してページ送信を送信するステップであって、前記ページ送信は、前記ページ送信に応答して前記モバイルデバイスによりアクセスされるべき第２のRATを示すサービス情報を含む、ステップと
を含む方法。
【請求項１６】
前記サービス情報は、複数のRATのうちのどれをワイヤレス通信に使うべきかを定義するポリシー中へのインデックスを含む、請求項15に記載の方法。
【請求項１７】
前記ポリシーは、RAT優先度に基づいて、RATにアクセスするための順序を与える、請求項16に記載の方法。
【請求項１８】
前記ポリシーはシステム情報ブロック(SIB)中で送信される、請求項17に記載の方法。
【請求項１９】
前記サービス情報はダウンリンクデータ通知メッセージ中で送信される、請求項15に記載の方法。
【請求項２０】
ワイヤレス通信のための装置であって、
プロセッサと、
前記プロセッサと電子通信するメモリと、
前記メモリに格納された命令
を具備し、
前記命令は、前記プロセッサにより
モバイルデバイスにおいて第１のネットワークからページ送信を受信することであって、前記ページ送信は、前記モバイルデバイスがページングされているサービスの種類の表示を具備するサービス情報を含み、前記サービスの種類は前記モバイルデバイスとの間で行われるべき通信の種類に関連する、受信することと、
複数の利用可能なネットワークから、前記モバイルデバイスがページングされているサービスの前記種類に少なくとも部分的に基づいて、ページ送信によって示されるサービスの種類について複数の利用可能なネットワークにアクセスするための優先度を示すポリシーに少なくとも部分的に基づいて前記ページ送信に応答してワイヤレス通信のためにアクセスする第２のネットワークを選択することであって、前記第２のネットワークは前記第１のネットワークとは異なる、選択することと、
前記選択に少なくとも部分的に基づいて第２のネットワークにアクセスすること
を行わせるように実行可能である、装置。
【請求項２１】
前記ページ送信は、ページング応答を送信するための無線アクセス技術(RAT)のアクセス指示を含み、
前記命令は、前記プロセッサにより、複数の利用可能なネットワークのうちの１つ又は複数が異なるRATを提供すると決定するようにさらに実行可能であり、前記第２のネットワークは、前記決定及び前記指示されたRATに少なくとも部分的に基づいて選択される、請求項20に記載の装置。
【請求項２２】
前記ポリシーは前記ページ送信の一部として受信され、前記装置は、
前記アクセス指示に基づいて、前記ポリシーを適用するかどうか判断するための手段をさらに備える、請求項21に記載の装置。
【請求項２３】
前記アクセス指示は、前記ポリシーをオーバーライドするための指示を含む、請求項21に記載の装置。
【請求項２４】
前記ポリシーをオーバーライドするための前記アクセス指示を認めるかどうか前記ポリシーが判断するための手段と、
前記ポリシーをオーバーライドするための前記アクセス指示を前記ポリシーが認めるとき、前記アクセス指示に基づいて、前記ページ送信に応答するための手段と、
前記ポリシーをオーバーライドするための前記アクセス指示を前記ポリシーが認めないとき、前記ポリシーに基づいて、前記ページ送信に応答するための手段と
をさらに備える、請求項23に記載の装置。
【請求項２５】
ワイヤレス通信のための装置であって、
プロセッサと、
前記プロセッサと電子通信するメモリと、
前記メモリに格納された命令
を具備し、
前記命令は、前記プロセッサにより
ネットワークがモバイルデバイスにページ送信を送信することになっているサービスの種類を決定することであって、前記サービスの種類は、前記モバイルデバイスとの間で行われるべき通信の種類に関連する、決定することと、
前記ネットワークにより、前記ページ送信を送信するための第１の無線アクセス技術（RAT）と、前記ページ送信に応答してモバイルデバイスによりアクセスされるべき第２のRATとを決定することであって、前記第２のRATは、前記ネットワークが前記ページ送信を送信することになっているサービスの前記種類に少なくとも部分的に基づいて決定される、決定することと、
前記モバイルデバイスに前記第１のRATを介してページ送信を送信することであって、前記ページ送信は、前記ページ送信に応答して前記モバイルデバイスによりアクセスされるべき第２のRATを示すサービス情報を含む、送信することと
を行わせるように実行可能である、装置。
【請求項２６】
前記サービス情報は、複数のRATのうちのどれをワイヤレス通信に使うべきかを定義するポリシー中へのインデックスを含む、請求項25に記載の装置。
【請求項２７】
前記ポリシーは、RAT優先度に基づいて、RATにアクセスするための順序を与える、請求項26に記載の装置。
【請求項２８】
前記ページ送信は、開始される前記サービスの種類に基づいてRATにアクセスするための順序を定義するポリシーをさらに具備する、請求項15に記載の方法。
【請求項２９】
前記サービスの種類は、音声、データ、ストリーミングオーディオ、ストリーミングビデオ、ビデオテレフォニー、双方向ゲーム、又はそれらの組み合わせを含む、請求項1に記載の方法。
【請求項３０】
前記サービスの種類は、前記モバイルデバイス、又は前記第２のネットワーク、又はそれらの組み合わせで動作可能なアプリケーションを含む、請求項1に記載の方法。
【請求項３１】
前記サービスの種類は、音声、データ、ストリーミングオーディオ、ストリーミングビデオ、ビデオテレフォニー、双方向ゲーム、又はそれらの組み合わせを含む、請求項15に記載の方法。
【請求項３２】
前記サービスの種類は、前記モバイルデバイス、又は前記ネットワーク、又はそれらの組み合わせで動作可能なアプリケーションを含む、請求項15に記載の方法。
【請求項３３】
前記サービスの種類は、音声、データ、ストリーミングオーディオ、ストリーミングビデオ、ビデオテレフォニー、双方向ゲーム、又はそれらの組み合わせを含む、請求項20に記載の装置。
【請求項３４】
前記サービスの種類は、前記モバイルデバイス、又は前記第２のネットワーク、又はそれらの組み合わせで動作可能なアプリケーションを含む、請求項20に記載の装置。
【請求項３５】
前記サービスの種類は、音声、データ、ストリーミングオーディオ、ストリーミングビデオ、ビデオテレフォニー、双方向ゲーム、又はそれらの組み合わせを含む、請求項25に記載の装置。
【請求項３６】
前記サービスの種類は、前記モバイルデバイス、又は前記ネットワーク、又はそれらの組み合わせで動作可能なアプリケーションを含む、請求項25に記載の装置。